(57)【要約】【課題】  ブロック体に磁石を内蔵させた磁石内臓積み木玩具は、外形が同じでも特定の面と面とで組み合わせることができないブロック体である積み木が含まれることにより組み合わせが制限され、また、変化が少なく面白味に欠けることが有った。【解決手段】  複数のブロック体で構成され、各ブロック体はその平面部の内側に磁石を用いた吸着手段を有し、幾つかのブロック体は吸着手段の両側に接点部を有し、接点部を有するブロック体の１つは内部にバッテリーを内蔵し、他の接点部を有するブロック体は発光手段か駆動手段か発音手段を内蔵する磁石内臓積み木玩具とする。【選択図】    図１
2006055231.tif 000002
【特許請求の範囲】
【請求項１】
複数のブロック体で構成され、各ブロック体はその平面部の内側に極性を反対とした２個の磁石を並べ、２個の磁石の位置が入れ替わるように平面部の内側に収納された吸着手段を有することを特徴とする磁石内臓積み木玩具。
【請求項２】
複数のブロック体で構成され、各ブロック体はその平面部の内側に磁石を用いた吸着手段を有し、幾つかのブロック体は吸着手段の両側における平面部の表面に接点部を有し、接点部を有するブロック体の１つは内部にバッテリーを内蔵し、他の接点部を有するブロック体は発光手段か駆動手段か発音手段を内蔵することを特徴とする磁石内臓積み木玩具。
【請求項３】
吸着手段は、極性を反対とした２個の磁石を並べ、２個の磁石の位置が入れ替わるように平面部の内側に収納されていることを特徴とする請求項２に記載した磁石内臓積み木玩具。
【請求項４】
半球形状又は変形球形状とされて下方に平面部を有するブロック体であって、平面部の内側に磁石を用いた吸着手段を有し、且つ、平面部の表面に２つの接点部を有して内部に駆動手段を有すると共に、ブロック対の外部に駆動手段により回転又は回動する可動体を有することを特徴とする磁石内臓積み木玩具用ブロック体。
【請求項５】
半球形状又は変形球形状とされて下方に平面部を有するブロック体であって、平面部の内側に磁石を用いた吸着手段を有し、且つ、平面部の表面に２つの接点部を有して内部に発音手段又は発光手段を有することを特徴とする磁石内臓積み木玩具用ブロック体。
【請求項６】
直方体形状又は円柱形状、多角柱形状、変形四角柱形状とされ、両端を平面部とするブロック体であって、両平面部の内側に磁石を用いた吸着手段を有し、且つ、両平面部の表面に２つの接点部を有して内部に発音手段又は発光手段を有することを特徴とする磁石内臓積み木玩具用ブロック体。
【請求項７】
立方体形状のブロック体であって、６面の平面の内、２面又は４面の平面部の内側に磁石を用いた吸着手段を有し、且つ、吸着手段を設けた平面部の表面に２つの接点部を有して内部に駆動手段又は発光手段を有し、駆動手段を内蔵する場合は吸着手段及び接点部を有しない平面部に可動体を有し、発光手段を内蔵する場合は吸着手段及び接点部を有しない平面部に窓部を有することを特徴とする磁石内臓積み木玩具用ブロック体。
【請求項８】
吸着手段は、極性を反対とした２個の磁石を並べ、２個の磁石の位置が入れ替わるように平面部の内側に収納されていることを特徴とする請求項４乃至請求項７の何れかに記載した磁石内臓積み木玩具用ブロック体。
【発明の詳細な説明】
【技術分野】
【０００１】
本発明は、直方体形状や立方体形状、円柱形状などのブロックを組み合わせて遊ぶ積み木玩具に関するものです。
【背景技術】
【０００２】
従来、積み木と称される小児用の玩具であって、直方体や立方体または円柱形や厚肉円板状などのブロック体を並べたり積み上げたりして遊ぶ積み木玩具が使用されていた。
そして、このような積み木玩具を構成する複数のブロック体である各積み木材は、今日では、木製のみでなく合成樹脂を材料として成形することも多くなり、内部に磁石を封入することにより、ブロック体とブロック体を重ねた場合におけるブロック体相互の密着を強力に行わせ、複雑な形状の組立をも可能とすると共に、不用意に組立体が崩れないようにする磁石内臓積み木玩具も提案されている（例えば特許文献１）。
【特許文献１】特開２００３−１１１９８３
【発明の開示】
【発明が解決しようとする課題】
【０００３】
前述の各ブロック体に磁石を内蔵させた磁石内臓積み木玩具は、磁石の極性により、所定のブロック体における特定の面に対して他のブロック体の特定の面を接合できない不具合が生じることがあり、複数のブロック体を組み合わせるとき、外形が同じでも特定の面と面とで組み合わせることができないブロック体が含まれることが生じ、ブロック体相互の接合が限定されて面白味に欠けることが有った。
本発明は、このような欠点を排除し、ブロック体の外観形状及びその組み合わせによる外観形状のみならず、ブロック体における一部に動きをも合せることにより種々の組み合わせを楽しむことのできる磁石内臓積み木玩具を提供するものです。
【課題を解決するための手段】
【０００４】
本発明は、複数のブロック体で構成し、各ブロック体にはその平面部（29）の内側に、極性を反対とした２個の磁石（81）を並べ、２個の磁石（81）の位置が入れ替わるように収納した吸着手段（80）を内蔵させた磁石内臓積み木玩具とするものです。
このように、２個の磁石（81）の位置が入れ替わるように平面部（29）の内側に収納することにより、ブロック体を相互に近接させたとき、異なるブロック体に組み込んだ磁石（81）が常に吸引し合うようにさせることができ、ブロック体の平面部相互の反発を無くすことができる。
【０００５】
また、本発明は、複数のブロック体で構成し、各ブロック体にはその平面部（29）の内側に磁石を用いた吸着手段（80）を内側に設け、幾つかのブロック体は吸着手段（80）の両側位置における平面部（29）の表面に接点部を設け、接点部を有するブロック体の１つには内部にバッテリー（130）を内蔵させ、他の接点部を有するブロック体には発光手段（117）か駆動手段（101）か発音手段（111）を内蔵させる磁石内臓積み木玩具とするものです。
【０００６】
このように、ブロック体の１つには内部にバッテリー（130）を内蔵させ、他のブロック体には発光手段（117）か駆動手段（101）か発音手段（111）を内蔵させ、このブロック体には吸着手段（80）と共に接点部を設けるため、吸着手段（80）によりブロック体相互を強く密着させ、接点部によりバッテリー（130）からの電力を発光手段（117）や駆動手段（101）又は発音手段（111）に供給することができる。
【０００７】
なお、吸着手段（80）としては、極性を反対とした２個の磁石（81）を並べ、２個の磁石（81）の位置が入れ替わるように平面部（29）の内側に収納することが好ましい。
このように、２個の磁石（81）の位置が入れ替わるように平面部（29）の内側に収納することにより、ブロック体を相互に近接させたとき、異なるブロック体に組み込んだ磁石（81）が常に吸引し合うようにさせることができる。
【０００８】
さらに、本発明は、半球形状又は変形球形状とされて下方に平面部（29）を有するブロック体において、平面部の内側に磁石を用いた吸着手段（80）を設け、且つ、平面部の表面に２つの接点部を設けて内部に駆動手段（101）を組み込むと共に、ブロック体の外部に駆動手段（101）により回転又は回動する可動体（39）を設ける磁石内臓積み木玩具用ブロック体とするものです。
このように、下方に平面部（29）を有するブロック体において、平面部の内側に磁石を用いた吸着手段（80）を設け、且つ、接点部を設けて内部に駆動手段（101）を組み込めば、吸着手段（80）により他のブロック体と強く密着させ、接点部により他のブロック体から電力を供給して駆動手段（101）即ち可動体（39）を動かすことができる。
【０００９】
そして、本発明は、半球形状又は変形球形状とされて下方に平面部（29）を有するブロック体において、平面部（29）の内側に磁石を用いた吸着手段（80）を設け、且つ、平面部（29）の表面に２つの接点部を設けて内部に発音手段（111）又は発光手段（117）を設ける磁石内臓積み木玩具用ブロック体とすることもある。
このように、下方に平面部（29）を有するブロック体において、平面部の内側に磁石を用いた吸着手段（80）を設け、且つ、接点部を設けて内部に発音手段（111）又は発光手段（117）を組み込めば、吸着手段（80）により他のブロック体と強く密着させ、接点部により他のブロック体から電力を供給して発音手段（111）を発音させ又は発光手段（117）を点灯又は点滅させることができる。
【００１０】
また、本発明としては、直方体形状又は円柱形状、多角柱形状、変形四角柱形状とされ、両端を平面部（29）とするブロック体において、平面部（29）の内側に磁石を用いた吸着手段（80）を設け、且つ、平面部（29）の表面に２つの接点部を設けて内部発音手段（111）又は発光手段（117）を有する磁石内臓積み木玩具用ブロック体とすることもある。
この発明も、吸着手段（80）により他のブロック体と強く密着させ、接点部により他のブロック体から電力を供給して発音手段（111）を発音させ又は発光手段（117）を点灯又は点滅させることができる。
【００１１】
更に本発明は、立方体形状のブロック体であって、６面の平面の内、２面又は４面の平面部（29）の内側に磁石を用いた吸着手段（80）を有し、且つ、吸着手段（80）を設けた平面部（29）の表面に２つの接点部を有して内部に駆動手段（101）又は発光手段（117）を有し、駆動手段（101）を内蔵する場合は吸着手段（80）及び接点部を有しない平面部（29）に可動体（39）を有し、発光手段（117）を内蔵する場合は吸着手段（80）及び接点部を有しない平面部（29）に窓部（122）を有することを磁石内臓積み木玩具用ブロック体とすることもある。
【００１２】
このように、６面の平面の内、２面又は４面の平面部（29）に吸着手段（80）と接点部を設けると、１組の接点部から電力の供給を受けて内部の駆動手段（101）又は発光手段（117）を駆動又は点灯させると共に、他の平面部（29）の接点部により他のブロック体に電力を供給することができる。
そして、吸着手段（80）は、極性を反対とした２個の磁石（81）を並べ、２個の磁石（81）の位置が入れ替わるように平面部（29）の内側に収納する磁石内臓積み木玩具用ブロック体とすることが好ましいものです。
【発明の効果】
【００１３】
本発明は、磁石により各ブロック体の接合面である平面を常に強く密着させることができる。
また、バッテリーを内蔵するブロック体や発光手段又は発音手段若しくは駆動手段を内蔵するブロック体を組み合わせると、動きや音を楽しみながら種々の形の結合体を形成するように組み合わせて楽しむことができるものです。
そして、内部に吸着手段と接点部及び発光手段又は発音手段若しくは駆動手段を内蔵するブロック体は、接点部から電力が供給されると、発光又は発音若しくは駆動部を駆動して、変化の有る楽しみを遊ぶものに与えることができる。
【発明を実施するための最良の形態】
【００１４】
本発明に係る磁石内臓積み木玩具は、半球形状のブロック体や円柱形状のブロック体、立方体形状のブロック体、変形四角柱形状のブロック体、厚肉扇形のブロック体、変形球形のブロック体などを複数個組み合わせるものであり、半球形ブロック体13や変形球形ブロック体17は１つの平面部29を有するものとし、円柱形ブロック体11や変形四角柱形ブロック体14は両端の２箇所を平面部29とし、これらの平面部29の内側にはＮ極とＳ極との位置を移動可能とした磁石を吸着手段80として有すると共に吸着手段80の両側には２つの接点を一組とする接点部を設けるものとし、立方体形ブロック体12では、６面の内少なくとも２面の平面部29に吸着手段80と接点部を設けるようにして各ブロック体における平面部29に吸着手段80を少なくとも１つは組み込んでブロック体相互を平面部29で密着可能とするものです。
【００１５】
さらに、磁石内臓積み木玩具を構成する複数のブロック体の内の一つにはバッテリー130を内蔵させてバッテリー130の両電極を平面部29に設けた接点部の接点に接続し、一部のブロック体には内部に音声ＩＣ113とスピーカー95とによる発音手段111を内蔵させて接点部の接点に接続し、また、他のブロック体ではＬＥＤなどの発光体を内蔵させて接点部と接続するか、又は、モーター103と減速歯車機構105とを内蔵させて接点部にモーター103を接続するとともに減速歯車機構105により回転する回転軸107の端部に装飾用の可動体39を取り付けるものです。
【実施例】
【００１６】
本発明に係る磁石内臓積み木玩具は、図１及び図２に示すような複数の円柱形ブロック体11と可動体39を備えた半球形ブロック体13又は動物の顔を描いた半球形ブロック体13及び台車部31とを組み合わせる場合や、また、図３に示すように円柱形ブロック体11、立方体形ブロック体12、半球形ブロック体13、変形四角柱形ブロック体14、厚肉扇形ブロック体15、厚肉円板形ブロック体16、変形球形ブロック体17、台車部31の組み合わせとする場合、図４に示すように円柱形ブロック体11や可動体39を備えた立方体形ブロック体12、可動体39を備えない立方体形ブロック体12、及び動物の顔を描いた半球形ブロック体13及び台車部31とを組み合わせる場合、図５及び図６に示すように円柱形ブロック体11、半球形ブロック体13、厚肉扇形ブロック体15、立方体形ブロック体12、変形球形ブロック体17を組み合わせる場合、図７乃至図９に示すように円柱形ブロック体11、立方体形ブロック体12、厚肉扇形ブロック体15、厚肉直角三角形ブロック体18、一側端を円弧状とした円弧角柱形ブロック体19、更には基台部23と可動部24とを組み合わせて両者の角度を変更可能とする二股形ブロック体25を組み合わせる場合、などとするものです。
【００１７】
なお、半球形ブロック体13や変形球形ブロック体17は円形の平面を形成する平面部29を下方に有する球形とし、厚肉扇形ブロック体15は、正方形の平面を形成する２つの平面部29を交差させるように有し、円柱形ブロック体11や厚肉円板形ブロック体16、変形四角柱形ブロック体14は両端を平面部29とし、立方体形ブロック体12は６面を正方形の平面部29とするものです。
なお、図面に示さない四角柱形状のブロック体や六角柱形状などの多角柱形状のブロック体を組み合わせることもある。
【００１８】
そして、各ブロック体の平面部29には、内部に吸着手段80を設けるものであって、この吸着手段80は、２個の平板磁石81と１枚の磁石取付け板82とで構成するものであり、磁石取付け板82と２個の平板磁石81とを平面部29の内面に設けた円筒部85に収納し、カバー板83を円筒部85に被せるように固定することにより、磁石取付け板82と平板磁石81とが円筒部85の内部で回転移動可能に収納されるものです。
【００１９】
例えば、立方体形ブロック体12の場合は、図１０に示すように、正方形の接続部53の対向する２辺から各々垂直に正方形の第１側壁部51と第２側壁部52とを立設したコ字状の第１部材50と、この第１部材50と同様に接続部58の両側に第１側壁部56と第２側壁部57とを有する第２部材55とにより立方体を形成するものとし、平面部29を形成する接続部53,58や側壁部56,57の内側に円筒部85を設け、この円筒部85の内部に平板磁石81及び磁石取付け板82を組み込み、カバー板83により円筒部85を塞ぎ、カバー板83を貫通させるビス89を固定筒87に螺入してカバー板83を平面部29の内側に固定するものです。
なお、ビス89を用いることなく、カバー板83を円筒部85の端部に直接に接着又は溶着するように固定することもある。
【００２０】
そして、平板磁石81は、円筒部85の内径の約２分の１の直径を有する同一の磁石を２個用いるものであって、一方の磁石のＮ極を磁石取付け板82に、他方の磁石のＳ極を磁石取付け板82に向けて円筒部85の内部に組み込むものであって、磁石取付け板82はフェライトなどの磁性体薄板を用い、円筒部85の内径に略一致した直径の円板状とするものです。
このように、円筒部85の内部に円筒部85の内径と略等しい磁石取付け板82を挿入し、この磁石取付け板82に２個の平板磁石81を並べているため、２個の平板磁石81と磁石取付け板82とによる吸着手段80は、円筒部85の内部で２個の平板磁石81の位置を変えるように回転移動が可能に円筒部85の内部に収納されるものです。
【００２１】
なお、カバー板83の内面は、テフロン加工などを施して摩擦係数を小さくすることが好ましい。
また、立方体形ブロック体12では、６面の平面部29の内、少なくとも２面の内面に吸着手段80を設けるものとし、図１０に示したように４面の内側に吸着手段80を設ける場合の他、６面全面の内側に吸着手段80を設けることもある。
【００２２】
そして、厚肉扇形ブロック体15では、図１１に示すように、略正方形の２つの平面部29の内側に各々吸着手段80を設けるものであって、曲面部66と扇形側壁部67とを有して内部に空間を有するカバー体65に平面部29となる２枚の略正方形の角形平面板61を直交させるようにして接着するものとし、角形平面板61の内側に設けた円筒部85に２個の平板磁石81と１枚の磁石取付け板82とによる吸着手段80を回転可能に収納してカバー板83で塞ぐことは前述のとおりです。
【００２３】
また、円柱形ブロック体11では、図１２に示すように、両端の平面部29の内側に各々吸着手段80を設けるものであって、円筒状の筒胴部73に平面部29と成る円形平面板71を接着するものであり、この円形平面板71の内側に形成した円筒部85に平板磁石81と磁石取付け板82とを収納するものです。
なお、半球形ブロック体13や変形球形ブロック体17、厚肉直角三角形ブロック体18、頂部球形円柱形ブロック体21、二股形ブロック体25などの平面部29、変形四角柱形ブロック体14の両端である各平面部29にも、各々吸着手段80を設けるものであり、円柱形ブロック体11では、図１３に示すように、有底円筒部72に円形平面板71を取り付け、各平面部29に吸着手段80を設けることも有る。
【００２４】
このように、各ブロック体は、１個又は複数個の吸着手段80をブロック体の平面部29の内側に有し、吸着手段80は円筒部85の内側に２個の平板磁石81を異なる極性をブロック体の外側に向けて配置し、磁石取付け板82によって相互に並んだ状態で円筒部85の内部で２個の磁石の位置を変えるように回転移動を可能として収納しているため、吸着手段80を内側に設けた平面部29を相互に対向させて２つのブロック体を近接させるとき、近接させるブロック体に各々組み込まれた平板磁石81の極性が反発すると磁石取付け板82に取り付けられた２個の平板磁石81が円筒部85内で位置を変えるように移動し、常に吸引位置に回転してブロック体を相互に引き合うようにして密着させることができるものです。
【００２５】
このため、種々のブロック体をその平面部29で接合させたとき、磁石の吸引力によってブロック体の平面部29相互を強く密着接合させることができるものです。
そして、この磁石内臓積み木玩具の立方体形ブロック体12では、吸着手段80を設けない平面部29には、後述するように窓部や可動部39を設けるか、模様を描いて他のブロック体と接合しないことを明瞭としているものです。
【００２６】
また、円柱形ブロック体11や変形四角柱形ブロック体17の内部にバッテリー130を収納させるものです。
このバッテリー130を円柱形ブロック体11に収納する場合、図１４に示すように、円筒の胴部を形成する第１胴部材75と第２胴部材77とを用い、第１胴部材75にはバッテリー収納部76とスイッチ135とを設けるとともにバッテリー収納部76を塞ぐバッテリーカバー79を設け、バッテリーカバー79を取り付けて半円筒形とした第１胴部材75と半円筒形の第２胴部材77とを合せるとき、両端に吸着手段80を備える円形平面板71を挟み込んで円形平面板71を胴部の両端に固定するものです。
【００２７】
そして、この円形平面板71には、吸着手段80の両側に接点部を設けるものとするものです。
この接点部は、接点体91を円形平面板71の表面から僅かに突出させるものであって、接点体91は、頭部を平面板の凹部97に嵌め込むように弾性体93を入れて挿入するものであり、接点体91の脚部は平面板71を貫通して平面板71の裏面で接続片95が脚部の先端に取り付けられるものです。
なお、接続片95からはリード線99によりスイッチ135を介してバッテリー130のプラス極又はマイナス極に接続されるものであり、吸着手段80の両側に設ける接点部の内の一方の接続片95をプラス極に、他方の接続片95をマイナス極に接続するものとしています。
【００２８】
また、他のブロック体には、モーター103などの駆動手段101を組み込む場合や、ＬＥＤなどの発光手段117を組み込む場合、音声ＩＣ113やスピーカー95などの発音手段111を組み込む場合がある。
例えば、立方体形ブロック体12に駆動手段101を組み込む場合、図１５に示すように、コ字状の第１部材50の接続部53や第２部材55の接続部58の内側に吸着手段80を形成する平板磁石81や磁石取付け板82を円筒部85に収納してカバー板83を設けると共に、吸着手段80の両側に接点部を形成するように接続部53の表面に形成した凹部97に弾性体93と接点体91とを挿入し、内部に減速歯車機構とモーターとを組み込んで回転軸107を突出させた駆動手段101を第１部材50の接続部53に取り付けるものです。
【００２９】
なお、駆動手段101に内蔵したモーターの両極は、各々第１部材50の接続部53とする２つの接続片95にリード線99で接続すると共に、第１部材50の接続部53に取り付けた２個の接続片95は他のリード線99により第２部材55の接続部53に設ける接点部を構成する２個の接続片95に各々接続するものです。
また、第１部材50の第１側壁部51には透孔54を設け、駆動手段101の回転軸107の先端に磁石を用いた吸着板109を設けておき、この吸着板109へ磁石板である吸着部38を裏面に有する可動体39を装飾体として取り付けることにより可動装飾体を設けるものです。
【００３０】
なお、回転軸107は減速歯車機構によりモーターの回転を減速して一方向に回転する場合のみでなく、減速歯車機構内にカムとリンクとを歯車と共に組み込み、往復回動するように回転させることもある。
また、立方体形ブロック体12に駆動手段101などを組み込むに際し、図１６に示すように、立方体を上下に分割した上箱部材62と下箱部材63とを用い、上箱部材62及び下箱部材63における平面部29の内側に吸着手段80を取り付け、吸着手段80と接点体91などの接点部とを有する角形平面板61を上箱部材62と下箱部材63との背面に固定することもある。
【００３１】
さらに、発光手段117を組み込む場合は、図１７に示すように、適宜の窓部122を設けた立方体形状にして内部に空隙を有するカバーブロック121を角形平面板61に被せるものとし、支持体123の内部にＬＥＤなどの発光体を設けるものとし、カバーブロック121の内側に半透明なカラープレート124を固定する支持体123を挿入するものです。
【００３２】
なお、発光体からはリード線99により角形平面板61の吸着手段80の両側に設けた接点部を構成する接続片95に接続を行うものであり、図１７に示したカバーブロック121は、４方に適宜の窓部122を設けた側壁と天井部とを有する形状として下方に角形平面板61を取り付けているも、このような天井部を有するカバーブロック121のみでなく、カバーブロック121としては正方形の側壁を４方に備える筒型として上下に吸着手段80と接点部とを有する角形平面板61を固定する場合や、円筒形のカバーブロック121の上下に吸着手段80と接点部とを有する円形平面板71を取り付ける場合などがある。
【００３３】
このように、カバーブロック121の上下に角形平面板61又は円形平面板71を取り付ける場合、下側の角形平面板61又は円形平面板71の接点部における接続片95と上側の角形平面板61又は円形平面板71の接点部における接続片95とをリード線99により接続するものです。
また、図１８に示すように、カバーブロック121の窓部122の形状に合せて装飾部を有する装飾付プレート129を用いる場合や、発光体を複数個設けて発光体の点滅制御を行う制御部を内蔵した発光手段117を用いることも有る。
【００３４】
そして、発音手段111を組み込む場合は、図１９に示すように、吸着手段80のカバー板83の上面に音声ＩＣ113を取り付け、球面状の前カバー125と後カバー126とで半球形状とすると共に、前カバー125と後カバー126とでスピーカー95及び円形平面板71を挟持するものとし、接点部の接続片95を音声ＩＣ113にリード線99で接続しておくものです。
さらに、図２０に示すように、音声ＩＣ113に変えてモーター103及び減速歯車機構105を収納して回転軸107を突出させた駆動手段101をカバー板83に取り付け、吸着板109を先端に有する回転軸107の先端に吸着部38を有する可動体39を取り付けることもある。
【００３５】
そして、台車部31は、図２１に示すように、上台部32と下台部33とで形成し、上台部32の下面には２個の吸着手段80を設け、各吸着手段80の両側に各々接点部を形成するものとし、下台部33には駆動手段101としてモーター103及び減速歯車機構105を取り付け、回転軸107の両端に車輪35を設けて駆動輪とし、別途、車輪35を両端に設けた支持軸37を上台部32と下台部33との間に挟持して自由輪とするものです。
また、図２１に示した台車部31は、２個の吸着手段80を上台部32の内側に設けているも、台車部31の長さを長くして３個のブロック体を載置できる台車部31とし、内部に３個の吸着手段80を設け、３個の吸着手段80又は３個の内の２個の吸着手段80の両側に接点部を設けるようにして台車部31の上面に接点体91を突出させ、各接点部の接続片95とモーター103とをリード線99で接続することもある。
【００３６】
なお、台車部31の上面面積を大きくして４個のブロック体を載置できるようにする場合、更に、駆動手段101や車輪35を省略して台部として吸着手段80や接点部を設ける場合もある。
このように、本実施例の磁石内臓積み木玩具は、半球形ブロック体13や変形球形ブロック体17は一つの平面部29を有して吸着手段80を内蔵し、適宜、接点部を設けると共に発音手段111か駆動手段101、又は発光手段117を内蔵し、他のブロック体は少なくとも２つの平面部29を有して該平面部29の内側に吸着手段80を有し、更に吸着手段80の両側に接点部を設けて発光手段117又は駆動手段101若しくは発音手段111を内蔵させるため、少なくとも一つのバッテリー130を内蔵するブロック体と組み合わせれば、接点部を有するブロック体相互の平面部29を密着させると、吸着手段80によりブロック体相互が強固に密着し、バッテリー130を内蔵するブロック体のスイッチ135をオン状態とすると駆動手段101を内蔵したブロック体では可動部39を回転させ、発音手段111を内蔵したブロック体からは発音を行い、発光手段117を内蔵したブロック体では発光手段117を点灯又は点滅させることができる。
【産業上の利用可能性】
【００３７】
本発明は、ブロック体相互を確実に密着させて種々の組立を行って遊ぶことができ、ブロック体に組み込まれた発音手段や駆動手段又は発光手段を作動させて楽しく遊ぶことができる磁石内臓積み木玩具を提供するものです。
【図面の簡単な説明】
【００３８】
【図１】本発明に係るブロック体を組み合わせた磁石内臓積み木玩具の外観の一例を示す図。
【図２】図１に示した磁石内臓積み木玩具を分解した状態を示す図。
【図３】本発明に係る磁石内臓積み木玩具の他のブロック体の組み合わせ例を示す図。
【図４】本発明に係るブロック体を組み合わせた磁石内臓積み木玩具の外観の他の一例を示す図。
【図５】本発明に係る磁石内臓積み木玩具の更に他のブロック体の組み合わせ例を示す図。
【図６】図５に示したブロック体の組み合わせ状態の例を示す図。
【図７】本発明に係る磁石内臓積み木玩具の更にその他のブロック体の組み合わせ例を示す図。
【図８】図７に示したブロック体の組み合わせ状態の一例を示す図。
【図９】図７に示したブロック体の組み合わせ状態の他の一例を示す図。
【図１０】本発明に係る立方体形ブロック体の一例を示す図。
【図１１】本発明に係る厚肉扇形ブロック体の一例を示す図。
【図１２】本発明に係る円柱形ブロック体の一例を示す図。
【図１３】本発明に係る円柱形ブロック体の他の一例を示す図。
【図１４】本発明に係るバッテリーを内蔵する円柱形ブロック体の一例を示す図。
【図１５】本発明に係る駆動手段を内蔵する立方体形ブロック体の一例を示す図。
【図１６】本発明に係る駆動手段を内蔵する立方体形ブロック体の他の一例を示す図。
【図１７】本発明に係る発光手段を内蔵する立方体形ブロック体の一例を示す図。
【図１８】本発明に係る発光手段を内蔵する立方体形ブロック体の他の一例を示す図。
【図１９】本発明に係る発光手段を内蔵する半球形ブロック体の一例を示す図。
【図２０】本発明に係る駆動手段を内蔵する半球形ブロック体の一例を示す図。
【図２１】本発明に係る磁石内臓積み木玩具の台車部の一例を示す図。
【符号の説明】
【００３９】
１１  円柱形ブロック体                １２  立方体形ブロック体
１３  半球形ブロック体                １４  変形四角柱形ブロック体
１５  厚肉扇形ブロック体              １６  厚肉円板形ブロック体
１７  変形球形ブロック体              １８  厚肉直角三角形ブロック体
１９  円弧角柱形ブロック体            ２１  頂部球形円柱形ブロック体
２３  基台部                          ２４  可動部
２５  二股形ブロック体
２９  平面部
３１  台車部                          ３２  上台部
３３  下台部                          ３５  車輪
３７  支持軸
３８  吸着部                          ３９可動体
５０  第１部材                        ５１  第１側壁部
５２  第２側壁部                      ５３  接続部
５４  透孔
５５  第２部材                        ５６  第１側壁部
５７  第２側壁部                      ５８  接続部
６１  角形平面板
６２  上箱部材                        ６３  下箱部材
６５  カバー体                        ６６  曲面部
６７  扇形側壁部
７１  円形平面板
７２  有底円筒部                      ７３  筒胴部
７５  第１胴部材                      ７６  バッテリー収納部
７７  第２同部材                      ７９  バッテリーカバー
８０  吸着手段                        ８１  平板磁石
８２  磁石取付け板                    ８３  カバー板
８５  円筒部                          ８７  固定筒
８９  ビス
９０  接点部                          ９１  接点体
９３  弾性体                          ９５  接続片
９７  凹部                            ９９  リード線
１０１  駆動手段                      １０３  モーター
１０５  減速歯車機構                  １０７  回転軸
１０９  吸着板
１１１  発音手段                      １１３  音声ＩＣ
１１７  発光手段
１２１  カバーブロック                １２２  窓部
１２３  支持体                        １２４  カラープレート
１２５  前カバー                      １２６  後カバー
１２９  装飾付プレート
１３０  バッテリー                    １３５  スイッチ
【図１】
2006055231.tif 000003
【図２】
2006055231.tif 000004
【図３】
2006055231.tif 000005
【図４】
2006055231.tif 000006
【図５】
2006055231.tif 000007
【図６】
2006055231.tif 000008
【図７】
2006055231.tif 000009
【図８】
2006055231.tif 000010
【図９】
2006055231.tif 000011
【図１０】
2006055231.tif 000012
【図１１】
2006055231.tif 000013
【図１２】
2006055231.tif 000014
【図１３】
2006055231.tif 000015
【図１４】
2006055231.tif 000016
【図１５】
2006055231.tif 000017
【図１６】
2006055231.tif 000018
【図１７】
2006055231.tif 000019
【図１８】
2006055231.tif 000020
【図１９】
2006055231.tif 000021
【図２０】
2006055231.tif 000022
【図２１】
2006055231.tif 000023
【手続補正書】
【提出日】平成16年8月23日(2004.8.23)
【手続補正１】
【補正対象書類名】特許請求の範囲
【補正対象項目名】全文
【補正方法】変更
【補正の内容】
【特許請求の範囲】
【請求項１】
複数のブロック体で構成され、各ブロック体はその平面部の内側に極性を反対とした２個の磁石を並べ、２個の磁石の位置が入れ替わるように平面部の内側に収納された吸着手段を有することを特徴とする磁石内蔵積み木玩具。
【請求項２】
複数のブロック体で構成され、各ブロック体はその平面部の内側に磁石を用いた吸着手段を有し、幾つかのブロック体は吸着手段の両側における平面部の表面に接点部を有し、接点部を有するブロック体の１つは内部にバッテリーを内蔵し、他の接点部を有するブロック体は発光手段か駆動手段か発音手段を内蔵することを特徴とする磁石内蔵積み木玩具。
【請求項３】
吸着手段は、極性を反対とした２個の磁石を並べ、２個の磁石の位置が入れ替わるように平面部の内側に収納されていることを特徴とする請求項２に記載した磁石内蔵積み木玩具。
【請求項４】
半球形状又は変形球形状とされて下方に平面部を有するブロック体であって、平面部の内側に磁石を用いた吸着手段を有し、且つ、平面部の表面に２つの接点部を有して内部に駆動手段を有すると共に、ブロック対の外部に駆動手段により回転又は回動する可動体を有することを特徴とする磁石内蔵積み木玩具用ブロック体。
【請求項５】
半球形状又は変形球形状とされて下方に平面部を有するブロック体であって、平面部の内側に磁石を用いた吸着手段を有し、且つ、平面部の表面に２つの接点部を有して内部に発音手段又は発光手段を有することを特徴とする磁石内蔵積み木玩具用ブロック体。
【請求項６】
直方体形状又は円柱形状、多角柱形状、変形四角柱形状とされ、両端を平面部とするブロック体であって、両平面部の内側に磁石を用いた吸着手段を有し、且つ、両平面部の表面に２つの接点部を有して内部に発音手段又は発光手段を有することを特徴とする磁石内蔵積み木玩具用ブロック体。
【請求項７】
立方体形状のブロック体であって、６面の平面の内、２面又は４面の平面部の内側に磁石を用いた吸着手段を有し、且つ、吸着手段を設けた平面部の表面に２つの接点部を有して内部に駆動手段又は発光手段を有し、駆動手段を内蔵する場合は吸着手段及び接点部を有しない平面部に可動体を有し、発光手段を内蔵する場合は吸着手段及び接点部を有しない平面部に窓部を有することを特徴とする磁石内蔵積み木玩具用ブロック体。
【請求項８】
吸着手段は、極性を反対とした２個の磁石を並べ、２個の磁石の位置が入れ替わるように平面部の内側に収納されていることを特徴とする請求項４乃至請求項７の何れかに記載した磁石内蔵積み木玩具用ブロック体。
【手続補正２】
【補正対象書類名】明細書
【補正対象項目名】全文
【補正方法】変更
【補正の内容】
【発明の詳細な説明】
【技術分野】
【０００１】
本発明は、直方体形状や立方体形状、円柱形状などのブロックを組み合わせて遊ぶ積み木玩具に関するものです。
【背景技術】
【０００２】
従来、積み木と称される小児用の玩具であって、直方体や立方体または円柱形や厚肉円板状などのブロック体を並べたり積み上げたりして遊ぶ積み木玩具が使用されていた。
そして、このような積み木玩具を構成する複数のブロック体である各積み木材は、今日では、木製のみでなく合成樹脂を材料として成形することも多くなり、内部に磁石を封入することにより、ブロック体とブロック体を重ねた場合におけるブロック体相互の密着を強力に行わせ、複雑な形状の組立をも可能とすると共に、不用意に組立体が崩れないようにする磁石内蔵積み木玩具も提案されている（例えば特許文献１）。
【特許文献１】特開２００３−１１１９８３
【発明の開示】
【発明が解決しようとする課題】
【０００３】
前述の各ブロック体に磁石を内蔵させた磁石内蔵積み木玩具は、磁石の極性により、所定のブロック体における特定の面に対して他のブロック体の特定の面を接合できない不具合が生じることがあり、複数のブロック体を組み合わせるとき、外形が同じでも特定の面と面とで組み合わせることができないブロック体が含まれることが生じ、ブロック体相互の接合が限定されて面白味に欠けることが有った。
本発明は、このような欠点を排除し、ブロック体の外観形状及びその組み合わせによる外観形状のみならず、ブロック体における一部に動きをも合せることにより種々の組み合わせを楽しむことのできる磁石内蔵積み木玩具を提供するものです。
【課題を解決するための手段】
【０００４】
本発明は、複数のブロック体で構成し、各ブロック体にはその平面部（29）の内側に、極性を反対とした２個の磁石（81）を並べ、２個の磁石（81）の位置が入れ替わるように収納した吸着手段（80）を内蔵させた磁石内蔵積み木玩具とするものです。
このように、２個の磁石（81）の位置が入れ替わるように平面部（29）の内側に収納することにより、ブロック体を相互に近接させたとき、異なるブロック体に組み込んだ磁石（81）が常に吸引し合うようにさせることができ、ブロック体の平面部相互の反発を無くすことができる。
【０００５】
また、本発明は、複数のブロック体で構成し、各ブロック体にはその平面部（29）の内側に磁石を用いた吸着手段（80）を内側に設け、幾つかのブロック体は吸着手段（80）の両側位置における平面部（29）の表面に接点部を設け、接点部を有するブロック体の１つには内部にバッテリー（130）を内蔵させ、他の接点部を有するブロック体には発光手段（117）か駆動手段（101）か発音手段（111）を内蔵させる磁石内蔵積み木玩具とするものです。
【０００６】
このように、ブロック体の１つには内部にバッテリー（130）を内蔵させ、他のブロック体には発光手段（117）か駆動手段（101）か発音手段（111）を内蔵させ、このブロック体には吸着手段（80）と共に接点部を設けるため、吸着手段（80）によりブロック体相互を強く密着させ、接点部によりバッテリー（130）からの電力を発光手段（117）や駆動手段（101）又は発音手段（111）に供給することができる。
【０００７】
なお、吸着手段（80）としては、極性を反対とした２個の磁石（81）を並べ、２個の磁石（81）の位置が入れ替わるように平面部（29）の内側に収納することが好ましい。
このように、２個の磁石（81）の位置が入れ替わるように平面部（29）の内側に収納することにより、ブロック体を相互に近接させたとき、異なるブロック体に組み込んだ磁石（81）が常に吸引し合うようにさせることができる。
【０００８】
さらに、本発明は、半球形状又は変形球形状とされて下方に平面部（29）を有するブロック体において、平面部の内側に磁石を用いた吸着手段（80）を設け、且つ、平面部の表面に２つの接点部を設けて内部に駆動手段（101）を組み込むと共に、ブロック体の外部に駆動手段（101）により回転又は回動する可動体（39）を設ける磁石内蔵積み木玩具用ブロック体とするものです。
このように、下方に平面部（29）を有するブロック体において、平面部の内側に磁石を用いた吸着手段（80）を設け、且つ、接点部を設けて内部に駆動手段（101）を組み込めば、吸着手段（80）により他のブロック体と強く密着させ、接点部により他のブロック体から電力を供給して駆動手段（101）即ち可動体（39）を動かすことができる。
【０００９】
そして、本発明は、半球形状又は変形球形状とされて下方に平面部（29）を有するブロック体において、平面部（29）の内側に磁石を用いた吸着手段（80）を設け、且つ、平面部（29）の表面に２つの接点部を設けて内部に発音手段（111）又は発光手段（117）を設ける磁石内蔵積み木玩具用ブロック体とすることもある。
このように、下方に平面部（29）を有するブロック体において、平面部の内側に磁石を用いた吸着手段（80）を設け、且つ、接点部を設けて内部に発音手段（111）又は発光手段（117）を組み込めば、吸着手段（80）により他のブロック体と強く密着させ、接点部により他のブロック体から電力を供給して発音手段（111）を発音させ又は発光手段（117）を点灯又は点滅させることができる。
【００１０】
また、本発明としては、直方体形状又は円柱形状、多角柱形状、変形四角柱形状とされ、両端を平面部（29）とするブロック体において、平面部（29）の内側に磁石を用いた吸着手段（80）を設け、且つ、平面部（29）の表面に２つの接点部を設けて内部発音手段（111）又は発光手段（117）を有する磁石内蔵積み木玩具用ブロック体とすることもある。
この発明も、吸着手段（80）により他のブロック体と強く密着させ、接点部により他のブロック体から電力を供給して発音手段（111）を発音させ又は発光手段（117）を点灯又は点滅させることができる。
【００１１】
更に本発明は、立方体形状のブロック体であって、６面の平面の内、２面又は４面の平面部（29）の内側に磁石を用いた吸着手段（80）を有し、且つ、吸着手段（80）を設けた平面部（29）の表面に２つの接点部を有して内部に駆動手段（101）又は発光手段（117）を有し、駆動手段（101）を内蔵する場合は吸着手段（80）及び接点部を有しない平面部（29）に可動体（39）を有し、発光手段（117）を内蔵する場合は吸着手段（80）及び接点部を有しない平面部（29）に窓部（122）を有することを磁石内蔵積み木玩具用ブロック体とすることもある。
【００１２】
このように、６面の平面の内、２面又は４面の平面部（29）に吸着手段（80）と接点部を設けると、１組の接点部から電力の供給を受けて内部の駆動手段（101）又は発光手段（117）を駆動又は点灯させると共に、他の平面部（29）の接点部により他のブロック体に電力を供給することができる。
そして、吸着手段（80）は、極性を反対とした２個の磁石（81）を並べ、２個の磁石（81）の位置が入れ替わるように平面部（29）の内側に収納する磁石内蔵積み木玩具用ブロック体とすることが好ましいものです。
【発明の効果】
【００１３】
本発明は、磁石により各ブロック体の接合面である平面を常に強く密着させることができる。
また、バッテリーを内蔵するブロック体や発光手段又は発音手段若しくは駆動手段を内蔵するブロック体を組み合わせると、動きや音を楽しみながら種々の形の結合体を形成するように組み合わせて楽しむことができるものです。
そして、内部に吸着手段と接点部及び発光手段又は発音手段若しくは駆動手段を内蔵するブロック体は、接点部から電力が供給されると、発光又は発音若しくは駆動部を駆動して、変化の有る楽しみを遊ぶものに与えることができる。
【発明を実施するための最良の形態】
【００１４】
本発明に係る磁石内蔵積み木玩具は、半球形状のブロック体や円柱形状のブロック体、立方体形状のブロック体、変形四角柱形状のブロック体、厚肉扇形のブロック体、変形球形のブロック体などを複数個組み合わせるものであり、半球形ブロック体13や変形球形ブロック体17は１つの平面部29を有するものとし、円柱形ブロック体11や変形四角柱形ブロック体14は両端の２箇所を平面部29とし、これらの平面部29の内側にはＮ極とＳ極との位置を移動可能とした磁石を吸着手段80として有すると共に吸着手段80の両側には２つの接点を一組とする接点部を設けるものとし、立方体形ブロック体12では、６面の内少なくとも２面の平面部29に吸着手段80と接点部を設けるようにして各ブロック体における平面部29に吸着手段80を少なくとも１つは組み込んでブロック体相互を平面部29で密着可能とするものです。
【００１５】
さらに、磁石内蔵積み木玩具を構成する複数のブロック体の内の一つにはバッテリー130を内蔵させてバッテリー130の両電極を平面部29に設けた接点部の接点に接続し、一部のブロック体には内部に音声ＩＣ113とスピーカー95とによる発音手段111を内蔵させて接点部の接点に接続し、また、他のブロック体ではＬＥＤなどの発光体を内蔵させて接点部と接続するか、又は、モーター103と減速歯車機構105とを内蔵させて接点部にモーター103を接続するとともに減速歯車機構105により回転する回転軸107の端部に装飾用の可動体39を取り付けるものです。
【実施例】
【００１６】
本発明に係る磁石内蔵積み木玩具は、図１及び図２に示すような複数の円柱形ブロック体11と可動体39を備えた半球形ブロック体13又は動物の顔を描いた半球形ブロック体13及び台車部31とを組み合わせる場合や、また、図３に示すように円柱形ブロック体11、立方体形ブロック体12、半球形ブロック体13、変形四角柱形ブロック体14、厚肉扇形ブロック体15、厚肉円板形ブロック体16、変形球形ブロック体17、台車部31の組み合わせとする場合、図４に示すように円柱形ブロック体11や可動体39を備えた立方体形ブロック体12、可動体39を備えない立方体形ブロック体12、及び動物の顔を描いた半球形ブロック体13及び台車部31とを組み合わせる場合、図５及び図６に示すように円柱形ブロック体11、半球形ブロック体13、厚肉扇形ブロック体15、立方体形ブロック体12、変形球形ブロック体17を組み合わせる場合、図７乃至図９に示すように円柱形ブロック体11、立方体形ブロック体12、厚肉扇形ブロック体15、厚肉直角三角形ブロック体18、一側端を円弧状とした円弧角柱形ブロック体19、更には基台部23と可動部24とを組み合わせて両者の角度を変更可能とする二股形ブロック体25を組み合わせる場合、などとするものです。
【００１７】
なお、半球形ブロック体13や変形球形ブロック体17は円形の平面を形成する平面部29を下方に有する球形とし、厚肉扇形ブロック体15は、正方形の平面を形成する２つの平面部29を交差させるように有し、円柱形ブロック体11や厚肉円板形ブロック体16、変形四角柱形ブロック体14は両端を平面部29とし、立方体形ブロック体12は６面を正方形の平面部29とするものです。
なお、図面に示さない四角柱形状のブロック体や六角柱形状などの多角柱形状のブロック体を組み合わせることもある。
【００１８】
そして、各ブロック体の平面部29には、内部に吸着手段80を設けるものであって、この吸着手段80は、２個の平板磁石81と１枚の磁石取付け板82とで構成するものであり、磁石取付け板82と２個の平板磁石81とを平面部29の内面に設けた円筒部85に収納し、カバー板83を円筒部85に被せるように固定することにより、磁石取付け板82と平板磁石81とが円筒部85の内部で回転移動可能に収納されるものです。
【００１９】
例えば、立方体形ブロック体12の場合は、図１０に示すように、正方形の接続部53の対向する２辺から各々垂直に正方形の第１側壁部51と第２側壁部52とを立設したコ字状の第１部材50と、この第１部材50と同様に接続部58の両側に第１側壁部56と第２側壁部57とを有する第２部材55とにより立方体を形成するものとし、平面部29を形成する接続部53,58や側壁部56,57の内側に円筒部85を設け、この円筒部85の内部に平板磁石81及び磁石取付け板82を組み込み、カバー板83により円筒部85を塞ぎ、カバー板83を貫通させるビス89を固定筒87に螺入してカバー板83を平面部29の内側に固定するものです。
なお、ビス89を用いることなく、カバー板83を円筒部85の端部に直接に接着又は溶着するように固定することもある。
【００２０】
そして、平板磁石81は、円筒部85の内径の約２分の１の直径を有する同一の磁石を２個用いるものであって、一方の磁石のＮ極を磁石取付け板82に、他方の磁石のＳ極を磁石取付け板82に向けて円筒部85の内部に組み込むものであって、磁石取付け板82はフェライトなどの磁性体薄板を用い、円筒部85の内径に略一致した直径の円板状とするものです。
このように、円筒部85の内部に円筒部85の内径と略等しい磁石取付け板82を挿入し、この磁石取付け板82に２個の平板磁石81を並べているため、２個の平板磁石81と磁石取付け板82とによる吸着手段80は、円筒部85の内部で２個の平板磁石81の位置を変えるように回転移動が可能に円筒部85の内部に収納されるものです。
【００２１】
なお、カバー板83の内面は、テフロン加工などを施して摩擦係数を小さくすることが好ましい。
また、立方体形ブロック体12では、６面の平面部29の内、少なくとも２面の内面に吸着手段80を設けるものとし、図１０に示したように４面の内側に吸着手段80を設ける場合の他、６面全面の内側に吸着手段80を設けることもある。
【００２２】
そして、厚肉扇形ブロック体15では、図１１に示すように、略正方形の２つの平面部29の内側に各々吸着手段80を設けるものであって、曲面部66と扇形側壁部67とを有して内部に空間を有するカバー体65に平面部29となる２枚の略正方形の角形平面板61を直交させるようにして接着するものとし、角形平面板61の内側に設けた円筒部85に２個の平板磁石81と１枚の磁石取付け板82とによる吸着手段80を回転可能に収納してカバー板83で塞ぐことは前述のとおりです。
【００２３】
また、円柱形ブロック体11では、図１２に示すように、両端の平面部29の内側に各々吸着手段80を設けるものであって、円筒状の筒胴部73に平面部29と成る円形平面板71を接着するものであり、この円形平面板71の内側に形成した円筒部85に平板磁石81と磁石取付け板82とを収納するものです。
なお、半球形ブロック体13や変形球形ブロック体17、厚肉直角三角形ブロック体18、頂部球形円柱形ブロック体21、二股形ブロック体25などの平面部29、変形四角柱形ブロック体14の両端である各平面部29にも、各々吸着手段80を設けるものであり、円柱形ブロック体11では、図１３に示すように、有底円筒部72に円形平面板71を取り付け、各平面部29に吸着手段80を設けることも有る。
【００２４】
このように、各ブロック体は、１個又は複数個の吸着手段80をブロック体の平面部29の内側に有し、吸着手段80は円筒部85の内側に２個の平板磁石81を異なる極性をブロック体の外側に向けて配置し、磁石取付け板82によって相互に並んだ状態で円筒部85の内部で２個の磁石の位置を変えるように回転移動を可能として収納しているため、吸着手段80を内側に設けた平面部29を相互に対向させて２つのブロック体を近接させるとき、近接させるブロック体に各々組み込まれた平板磁石81の極性が反発すると磁石取付け板82に取り付けられた２個の平板磁石81が円筒部85内で位置を変えるように移動し、常に吸引位置に回転してブロック体を相互に引き合うようにして密着させることができるものです。
【００２５】
このため、種々のブロック体をその平面部29で接合させたとき、磁石の吸引力によってブロック体の平面部29相互を強く密着接合させることができるものです。
そして、この磁石内蔵積み木玩具の立方体形ブロック体12では、吸着手段80を設けない平面部29には、後述するように窓部や可動部39を設けるか、模様を描いて他のブロック体と接合しないことを明瞭としているものです。
【００２６】
また、円柱形ブロック体11や変形四角柱形ブロック体17の内部にバッテリー130を収納させるものです。
このバッテリー130を円柱形ブロック体11に収納する場合、図１４に示すように、円筒の胴部を形成する第１胴部材75と第２胴部材77とを用い、第１胴部材75にはバッテリー収納部76とスイッチ135とを設けるとともにバッテリー収納部76を塞ぐバッテリーカバー79を設け、バッテリーカバー79を取り付けて半円筒形とした第１胴部材75と半円筒形の第２胴部材77とを合せるとき、両端に吸着手段80を備える円形平面板71を挟み込んで円形平面板71を胴部の両端に固定するものです。
【００２７】
そして、この円形平面板71には、吸着手段80の両側に接点部を設けるものとするものです。
この接点部は、接点体91を円形平面板71の表面から僅かに突出させるものであって、接点体91は、頭部を平面板の凹部97に嵌め込むように弾性体93を入れて挿入するものであり、接点体91の脚部は平面板71を貫通して平面板71の裏面で接続片95が脚部の先端に取り付けられるものです。
なお、接続片95からはリード線99によりスイッチ135を介してバッテリー130のプラス極又はマイナス極に接続されるものであり、吸着手段80の両側に設ける接点部の内の一方の接続片95をプラス極に、他方の接続片95をマイナス極に接続するものとしています。
【００２８】
また、他のブロック体には、モーター103などの駆動手段101を組み込む場合や、ＬＥＤなどの発光手段117を組み込む場合、音声ＩＣ113やスピーカー95などの発音手段111を組み込む場合がある。
例えば、立方体形ブロック体12に駆動手段101を組み込む場合、図１５に示すように、コ字状の第１部材50の接続部53や第２部材55の接続部58の内側に吸着手段80を形成する平板磁石81や磁石取付け板82を円筒部85に収納してカバー板83を設けると共に、吸着手段80の両側に接点部を形成するように接続部53の表面に形成した凹部97に弾性体93と接点体91とを挿入し、内部に減速歯車機構とモーターとを組み込んで回転軸107を突出させた駆動手段101を第１部材50の接続部53に取り付けるものです。
【００２９】
なお、駆動手段101に内蔵したモーターの両極は、各々第１部材50の接続部53とする２つの接続片95にリード線99で接続すると共に、第１部材50の接続部53に取り付けた２個の接続片95は他のリード線99により第２部材55の接続部53に設ける接点部を構成する２個の接続片95に各々接続するものです。
また、第１部材50の第１側壁部51には透孔54を設け、駆動手段101の回転軸107の先端に磁石を用いた吸着板109を設けておき、この吸着板109へ磁石板である吸着部38を裏面に有する可動体39を装飾体として取り付けることにより可動装飾体を設けるものです。
【００３０】
なお、回転軸107は減速歯車機構によりモーターの回転を減速して一方向に回転する場合のみでなく、減速歯車機構内にカムとリンクとを歯車と共に組み込み、往復回動するように回転させることもある。
また、立方体形ブロック体12に駆動手段101などを組み込むに際し、図１６に示すように、立方体を上下に分割した上箱部材62と下箱部材63とを用い、上箱部材62及び下箱部材63における平面部29の内側に吸着手段80を取り付け、吸着手段80と接点体91などの接点部とを有する角形平面板61を上箱部材62と下箱部材63との背面に固定することもある。
【００３１】
さらに、発光手段117を組み込む場合は、図１７に示すように、適宜の窓部122を設けた立方体形状にして内部に空隙を有するカバーブロック121を角形平面板61に被せるものとし、支持体123の内部にＬＥＤなどの発光体を設けるものとし、カバーブロック121の内側に半透明なカラープレート124を固定する支持体123を挿入するものです。
【００３２】
なお、発光体からはリード線99により角形平面板61の吸着手段80の両側に設けた接点部を構成する接続片95に接続を行うものであり、図１７に示したカバーブロック121は、４方に適宜の窓部122を設けた側壁と天井部とを有する形状として下方に角形平面板61を取り付けているも、このような天井部を有するカバーブロック121のみでなく、カバーブロック121としては正方形の側壁を４方に備える筒型として上下に吸着手段80と接点部とを有する角形平面板61を固定する場合や、円筒形のカバーブロック121の上下に吸着手段80と接点部とを有する円形平面板71を取り付ける場合などがある。
【００３３】
このように、カバーブロック121の上下に角形平面板61又は円形平面板71を取り付ける場合、下側の角形平面板61又は円形平面板71の接点部における接続片95と上側の角形平面板61又は円形平面板71の接点部における接続片95とをリード線99により接続するものです。
また、図１８に示すように、カバーブロック121の窓部122の形状に合せて装飾部を有する装飾付プレート129を用いる場合や、発光体を複数個設けて発光体の点滅制御を行う制御部を内蔵した発光手段117を用いることも有る。
【００３４】
そして、発音手段111を組み込む場合は、図１９に示すように、吸着手段80のカバー板83の上面に音声ＩＣ113を取り付け、球面状の前カバー125と後カバー126とで半球形状とすると共に、前カバー125と後カバー126とでスピーカー95及び円形平面板71を挟持するものとし、接点部の接続片95を音声ＩＣ113にリード線99で接続しておくものです。
さらに、図２０に示すように、音声ＩＣ113に変えてモーター103及び減速歯車機構105を収納して回転軸107を突出させた駆動手段101をカバー板83に取り付け、吸着板109を先端に有する回転軸107の先端に吸着部38を有する可動体39を取り付けることもある。
【００３５】
そして、台車部31は、図２１に示すように、上台部32と下台部33とで形成し、上台部32の下面には２個の吸着手段80を設け、各吸着手段80の両側に各々接点部を形成するものとし、下台部33には駆動手段101としてモーター103及び減速歯車機構105を取り付け、回転軸107の両端に車輪35を設けて駆動輪とし、別途、車輪35を両端に設けた支持軸37を上台部32と下台部33との間に挟持して自由輪とするものです。
また、図２１に示した台車部31は、２個の吸着手段80を上台部32の内側に設けているも、台車部31の長さを長くして３個のブロック体を載置できる台車部31とし、内部に３個の吸着手段80を設け、３個の吸着手段80又は３個の内の２個の吸着手段80の両側に接点部を設けるようにして台車部31の上面に接点体91を突出させ、各接点部の接続片95とモーター103とをリード線99で接続することもある。
【００３６】
なお、台車部31の上面面積を大きくして４個のブロック体を載置できるようにする場合、更に、駆動手段101や車輪35を省略して台部として吸着手段80や接点部を設ける場合もある。
このように、本実施例の磁石内蔵積み木玩具は、半球形ブロック体13や変形球形ブロック体17は一つの平面部29を有して吸着手段80を内蔵し、適宜、接点部を設けると共に発音手段111か駆動手段101、又は発光手段117を内蔵し、他のブロック体は少なくとも２つの平面部29を有して該平面部29の内側に吸着手段80を有し、更に吸着手段80の両側に接点部を設けて発光手段117又は駆動手段101若しくは発音手段111を内蔵させるため、少なくとも一つのバッテリー130を内蔵するブロック体と組み合わせれば、接点部を有するブロック体相互の平面部29を密着させると、吸着手段80によりブロック体相互が強固に密着し、バッテリー130を内蔵するブロック体のスイッチ135をオン状態とすると駆動手段101を内蔵したブロック体では可動部39を回転させ、発音手段111を内蔵したブロック体からは発音を行い、発光手段117を内蔵したブロック体では発光手段117を点灯又は点滅させることができる。
【産業上の利用可能性】
【００３７】
本発明は、ブロック体相互を確実に密着させて種々の組立を行って遊ぶことができ、ブロック体に組み込まれた発音手段や駆動手段又は発光手段を作動させて楽しく遊ぶことができる磁石内蔵積み木玩具を提供するものです。
【図面の簡単な説明】
【００３８】
【図１】本発明に係るブロック体を組み合わせた磁石内蔵積み木玩具の外観の一例を示す図。
【図２】図１に示した磁石内蔵積み木玩具を分解した状態を示す図。
【図３】本発明に係る磁石内蔵積み木玩具の他のブロック体の組み合わせ例を示す図。
【図４】本発明に係るブロック体を組み合わせた磁石内蔵積み木玩具の外観の他の一例を示す図。
【図５】本発明に係る磁石内蔵積み木玩具の更に他のブロック体の組み合わせ例を示す図。
【図６】図５に示したブロック体の組み合わせ状態の例を示す図。
【図７】本発明に係る磁石内蔵積み木玩具の更にその他のブロック体の組み合わせ例を示す図。
【図８】図７に示したブロック体の組み合わせ状態の一例を示す図。
【図９】図７に示したブロック体の組み合わせ状態の他の一例を示す図。
【図１０】本発明に係る立方体形ブロック体の一例を示す図。
【図１１】本発明に係る厚肉扇形ブロック体の一例を示す図。
【図１２】本発明に係る円柱形ブロック体の一例を示す図。
【図１３】本発明に係る円柱形ブロック体の他の一例を示す図。
【図１４】本発明に係るバッテリーを内蔵する円柱形ブロック体の一例を示す図。
【図１５】本発明に係る駆動手段を内蔵する立方体形ブロック体の一例を示す図。
【図１６】本発明に係る駆動手段を内蔵する立方体形ブロック体の他の一例を示す図。
【図１７】本発明に係る発光手段を内蔵する立方体形ブロック体の一例を示す図。
【図１８】本発明に係る発光手段を内蔵する立方体形ブロック体の他の一例を示す図。
【図１９】本発明に係る発光手段を内蔵する半球形ブロック体の一例を示す図。
【図２０】本発明に係る駆動手段を内蔵する半球形ブロック体の一例を示す図。
【図２１】本発明に係る磁石内蔵積み木玩具の台車部の一例を示す図。
【符号の説明】
【００３９】
１１  円柱形ブロック体                １２  立方体形ブロック体
１３  半球形ブロック体                １４  変形四角柱形ブロック体
１５  厚肉扇形ブロック体              １６  厚肉円板形ブロック体
１７  変形球形ブロック体              １８  厚肉直角三角形ブロック体
１９  円弧角柱形ブロック体            ２１  頂部球形円柱形ブロック体
２３  基台部                          ２４  可動部
２５  二股形ブロック体
２９  平面部
３１  台車部                          ３２  上台部
３３  下台部                          ３５  車輪
３７  支持軸
３８  吸着部                          ３９可動体
５０  第１部材                        ５１  第１側壁部
５２  第２側壁部                      ５３  接続部
５４  透孔
５５  第２部材                        ５６  第１側壁部
５７  第２側壁部                      ５８  接続部
６１  角形平面板
６２  上箱部材                        ６３  下箱部材
６５  カバー体                        ６６  曲面部
６７  扇形側壁部
７１  円形平面板
７２  有底円筒部                      ７３  筒胴部
７５  第１胴部材                      ７６  バッテリー収納部
７７  第２同部材                      ７９  バッテリーカバー
８０  吸着手段                        ８１  平板磁石
８２  磁石取付け板                    ８３  カバー板
８５  円筒部                          ８７  固定筒
８９  ビス
９０  接点部                          ９１  接点体
９３  弾性体                          ９５  接続片
９７  凹部                            ９９  リード線
１０１  駆動手段                      １０３  モーター
１０５  減速歯車機構                  １０７  回転軸
１０９  吸着板
１１１  発音手段                      １１３  音声ＩＣ
１１７  発光手段
１２１  カバーブロック                １２２  窓部
１２３  支持体                        １２４  カラープレート
１２５  前カバー                      １２６  後カバー
１２９  装飾付プレート
１３０  バッテリー                    １３５  スイッチ